(57)【要約】      （修正有）【課題】ハンディ型スチーマーを提供する。【解決手段】ポット本体とポット本体と結合可能な噴出ヘッド２０とを含み、ポット本体が左、右ポット本体１１、１２からなり、ポット本体の後側にハンドル１３が設けられ、ポット本体の内部に収容室１４が形成されかつ貯水タンクが設けられ、ポット本体の上端がポット口１５として形成され、噴出ヘッドに蒸気を噴出するためのノズル２１が設けられ、収容室内に蒸気部材が設けられ、蒸気部材が蒸発装置５０を含むハンディ型スチーマーであって、蒸発装置は貯水タンク内に沈設され、蒸発装置はヒータ５１と蒸発チューブとを含み、蒸発チューブはヒータの加熱リングを被覆することで、加熱リングと貯水タンクの水との間接加熱による蒸気が発生する。このことにより、蒸発装置とポット本体との間の熱伝導を断熱するため、本体が発熱し灼熱してしまうことはない。【選択図】図２
0003215613.tif 000002
【実用新案登録請求の範囲】
【請求項１】
ポット本体と該ポット本体と結合可能な噴出ヘッドとを含み、該ポット本体が左、右ポット本体からなり、該ポット本体の後側にハンドルが設けられ、該ポット本体の内部に収容室が形成されかつ貯水タンクが設けれ、該ポット本体の上端がポット口として形成され、該噴出ヘッドに蒸気を噴出するためのノズルが設けられ、該収容室内に蒸気部材が設けられ、該蒸気部材が蒸発装置を含むハンディ型スチーマーであって、
該蒸発装置は該貯水タンク内に沈設され、該蒸発装置はヒータと蒸発チューブとを含み、該蒸発チューブは該ヒータの加熱リングを被覆することで、該加熱リングと該貯水タンクの水との間接加熱による蒸気が発生することを特徴とするハンディ型スチーマー。
【請求項２】
該蒸気部材は、水タンクとポンプとをさらに含み、該水タンク上部の該ポット口に対向する箇所には水注入口と蒸気通路とが設けられ、該ヒータにはワッシャが設けられ、該貯水タンクは該水タンクが該ワッシャに結合形成され該水注入口から注水され、該貯水タンクの上部には該ポンプのアウトレットとインレットとがそれぞれ挿設される水注入口と水抽出口とが設けられ、該加熱リングは該ワッシャの中央に環設され、該蒸発チューブは該ワッシャに設けられ、該蒸発チューブの下端は該加熱リングを被覆し蒸発室を形成し、該蒸発室上端に蒸気噴出通路と貫通孔が設けられ、該蒸気噴出通路は該蒸気通路と連通し、該貫通孔には該注入口が挿入されることで、該貫通孔がアウトレットと連通し、該水抽出口は該ポンプが該インレットにより水を吸引する該水抽出チューブに接続され、該貫通孔は該ポンプが該アウトレットの水を押圧し該加熱リングに向けて噴出しかつ該蒸発室において蒸気が発生するように該注水チューブに接続され、蒸気は該蒸気噴出通路と蒸気通路に向けて該噴出ヘッドのノズルへ噴出することを特徴とする請求項１に記載のハンディ型スチーマー。
【請求項３】
該注入口には閉塞プラグが設けられ、該蒸気通路は環状となりかつ外部にほぞが設けられ、該ほぞは該噴出ヘッド内部に設けられた通気路の凹溝と係合されることで、該噴出ヘッドは該ポット本体と接続されることを特徴とする請求項２に記載のハンディ型スチーマー。
【請求項４】
該蒸気通路には閉塞可能なキャップが設けられ、該キャップには蒸気の通過のための貫通孔が設けられていることを特徴とする請求項２または３に記載のハンディ型スチーマー。
【請求項５】
該ポット箇所には注入口と蒸気通路とが設けられ、該ヒータにはワッシャが設けられ、該加熱リングは該ワッシャの中央に環設され、該貯水タンクは、該収容室と該ワッシャとで形成され該注入口から注水され、該収容室内にポンプが設けられ、該ポンプにはアウトレットとインレットとが設けられ、該蒸発チューブは該ワッシャに設けられることで、該蒸発チューブの下端と被覆された加熱リングとで蒸発室が形成され、該蒸発室の上端に蒸気通路と貫通孔とが設けられ、該アウトレットは該貫通孔と連通し、該貫通孔は該注水チューブに接続され、該ポンプはインレットに接続された水抽出チューブにより該貯水タンクから水を吸引しかつ該注水チューブから該加熱リングへ噴出し、発生された蒸気は該蒸気噴出通路と蒸気通路とを介して該噴出ヘッドへ噴出し該ノズルから噴出することを特徴とする請求項１に記載のハンディ型スチーマー。
【請求項６】
該注入口には閉塞プラグが設けられ、該蒸気通路は環状となりかつ外部にほぞが設けられ、該ほぞは該噴出ヘッド内部に設けられた通気路の凹溝と係合されることで、該噴出ヘッドは該ポット本体と接続されることを特徴とする請求項５に記載のハンディ型スチーマー。
【請求項７】
該蒸気通路には閉塞可能なキャップが設けられ、該キャップには蒸気の通過のための貫通孔が設けられていることを特徴とする請求項５または６に記載のハンディ型スチーマー。
【考案の詳細な説明】
【技術分野】
【０００１】
本考案は、スチーマーに関し、特にハンディ型でかつハウジングが手をやけどすることを回避可能なスチーマーに関するものである。
【背景技術】
【０００２】
従来、よく見かけられるハンディ型スチーマーは、例えば中国実用新案公告第ＣＮ２０１２１７７５８Ｙ号の「蒸気スチーマー」が知られている。この技術は、電気ポットのように水タンク内において水を直接加熱し、その沸かした水がハウジングに熱が伝導するため、握った手が熱を感じてしまう不快がある。
【０００３】
さらに、例えば中国特許出願第ＣＮ１０５７３４９４６Ａ号の「蒸気スチーマー」、及びＣＮ１０６７５８０８８Ａ号の「噴出ヘッドが回転可能なパーム型スチーマー」のそれぞれでは、電気ポットによる蒸気の提供方式と異なり、蒸気発生装置が水タンクから移出されハウジング内にポンプが設けられることで、水タンクから水を吸引し蒸気発生装置に導入して蒸気を発生するものが提案されている。この技術は、水への加熱方式が変更されかつ蒸気発生の効率が向上しているが、その蒸気発生発装置は依然としてハウジングまたは噴出ヘッドに熱が伝導する効果がある。
【０００４】
従来技術の既存課題は、水を直接加熱しても若しくは移出された蒸発装置により水を加熱しても熱伝導効果の課題があるため、ハウジング外部に灼熱が発生してしまうことがある。たとえ断熱装置を増設できるとしても、コストが嵩むという課題がある。
【先行技術文献】
【特許文献】
【０００５】
【特許文献１】中国実用新案公告第ＣＮ２０１２１７７５８Ｙ号
【特許文献２】中国特許出願第ＣＮ１０５７３４９４６Ａ号
【特許文献３】中国特許出願第ＣＮ１０６７５８０８８Ａ号
【考案の概要】
【考案が解決しようとする課題】
【０００６】
そこで、本考案は、主に蒸発装置をポット内部の水タンクの水中に沈設し、蒸発装置の加熱リングを蒸発チューブで被覆し、加熱リングと水タンクの水との間接加熱による蒸気が発生することで、蒸発装置とポットとの間の熱伝導を断熱することにより、ポット本体の熱を感じることがない効果を奏するハンディ型スチーマーを提供することを目的とする。
【課題を解決するための手段】
【０００７】
上記目的を達成するために、本考案に係るハンディ型スチーマーは、ポット本体と該ポット本体と結合可能な噴出ヘッドとを含み、該ポット本体は、左、右ポット本体とからなる。ポット本体の後側にはハンドルが設けられ、該ポット本体の内部には収容室が形成されかつ貯水タンクが設けられ、該噴出ヘッドには蒸気を噴出すためのノズルが設けられ、該収容室内には蒸気部材が設けられ、該蒸気部材は蒸発装置を含む。その特徴とする点は、該蒸発装置が該貯水タンク内に沈設され、該蒸発装置はヒータと蒸発チューブとを含み、該蒸発チューブが該ヒータの加熱リングを被覆することで、該加熱リングと該貯水タンク内の水との間接加熱による蒸気が発生することである。
【考案の効果】
【０００８】
本考案に係るハンディ型スチーマーによれば、下記の効果を奏することができる。
１、 本考案に係るハンディ型スチーマーは、水を加熱して蒸気を発生する方法が間接加熱であり、その貯水の温度増加がないため、ポット本体が発熱することはない。
２、 本考案に係るハンディ型スチーマーは、ポット本体内部の貯水タンク内に沈設されているため、蒸発装置の温度が水から隔離され、ポット本体に熱が伝導することはない。
【図面の簡単な説明】
【０００９】
【図１】本考案に係るハンディ型スチーマーの立体図である。
【図２】本考案の分解模式図である。
【図３】本考案に係る蒸発装置の分解模式図である。
【図４】本考案の組み合わせ断面図である。
【図５】本考案の他の実施例のハンディ型スチーマーの断面図である。
【考案を実施するための形態】
【００１０】
図１に示すように、本考案に係るハンディ型スチーマーは、左、右ポット本体１１、１２とからなるポット本体１０を含む。ポット本体１０の後側には、スイッチ１３１が設けられたハンドル１３が設置されている。ポット本体１０には、蒸気を噴出するためのノズル２１が設けられた噴出ヘッド２０が接続されている。
【００１１】
図２に示すように、左、右ポット本体１１、１２は、内部が収容室１４として形成され、上端がポット口１５として形成されている。左、右ポット本体１１、１２には、水位を観察するための左、右窓１１１、１２１がそれぞれ設けられている。ハンドル１３の下部には、電源線（図示せず）が設けられ、収容室１４内には水タンク３０が収容されている。水タンク３０の外部には、検視窓３１が設けられ、水タンク３０上部のポット口１５に対向する箇所には、水注入口３２と蒸気通路３３（図３参照）が設けられている。水注入口３２には水注入口３２を閉合するための閉塞プラグ３２１が設けられている。蒸気通路３３は環状となり、かつ外部にほぞ３３１が設けられ、ほぞ３３１は噴出ヘッド２０の内部通気路２２における凹溝２２１と係合されることで、噴出ヘッド２０がポット本体１０と結合可能となる。該ハンディ型スチーマーは、注水の際に、噴出ヘッド２０を取り外す必要がある。噴出ヘッド２０を取り外した後、ポット口１５には水注入口３２と蒸気通路３３とが現れてくる。注水のミスを回避するために、蒸気通路３３にはキャップ３３２が付設されている。キャップ３３２は、蒸気通路３３を充満してもよい。キャップ３３２には蒸気の通過のための複数の貫通孔３３３が設けられている。水タンク３０の一方の側にはポンプ４０が取り付けられ、水タンク３０の内部には蒸発装置５０が設けられている。水タンク３０の底部と蒸発装置５０のヒータ５１とは貯水タンク３４として結合形成され、水注入口３２から貯水タンク３４内に注水することができる。この実施例において、水タンク３０と、ポンプ４０と、蒸発装置５０とは蒸気部材として構成されている。
【００１２】
図２〜３に示すように、本考案が分かりやすくなるように、図３では、水タンク３０の断面、蒸発チューブ５２の一部の断面を示している。水タンク３０の内部には蒸発装置５０が収容され、貯水タンク３４の上部には注水口３５と水抽出口３６とが設けられている。注水口３５と水抽出口３６には、ポンプ４０のアウトレット４１とインレット４２が挿設されている。蒸発装置５０は、ヒータ５１と蒸発チューブ５２とを含む。ヒータ５１の中央には、加熱リング５１１が設けられ、外部には断熱可能なワッシャ５１２が環設されている。蒸発チューブ５２は、ワッシャ５１２に結合され、かつ加熱リング５１１は蒸発チューブ５２内に包囲されている。蒸発チューブ５２は、下端に加熱リング５１１が被覆され、内部に蒸発室５２１が形成されている。蒸発室５２１の上端には、蒸気噴出通路５２２と貫通孔５２３が設けられている。蒸気噴出通路５２２は蒸気通路３３に連通している。貫通孔５２３には注水口３５が挿入され、貫通孔５２３はアウトレット４１に連通している。
【００１３】
図４に示すように、ポット本体１０内部の貯水タンク３４には貯水が可能である。水抽出口３６は、ポンプ４０がインレット４２により水を吸引するように水抽出チューブ３６１に接続されている。貫通孔５２３は、アウトレット４１がポンプ４０により押圧された水を加熱リング５１１へ射出するための注水チューブ３５１に接続され、蒸発室５２１において蒸気が発生し、蒸気は蒸気噴出通路５２２と蒸気通路３３に向けて噴出ヘッド２０のノズル２１へ噴出する。図４からわかるように、該蒸気部材の蒸発装置５０は、電気ポットのように水を直接加熱するのではなく、水で囲まれている。水タンク３０内の貯水は熱を受けないため、水タンク３０の外部に熱が発生することはない。該蒸気部材とポット本体１０との間には間隙が存在しているため、ポット本体１０が発熱し灼熱することはない。
【００１４】
図５に示すように、本考案に係る他の実施例において、該ハンディ型スチーマーの蒸気部材は、図４における水タンク３０を含んでいない。ポット本体１０のポット口１５には、水注入口１５１と蒸気通路１５２が設けられている。水注入口１５１は閉塞プラグ３２１で閉合され、蒸気通路１５２は噴出ヘッド２０と係合される。注水のミスを回避するために、蒸気通路１５２にはキャップ３３２が付設されている。キャップ３３２には、蒸気の通過のための複数の貫通孔３３３が設けられている。キャップ３３２は蒸気通路１５２を充満してもよい。収容室１４に当接するほどのワッシャ５１３を大きくすることで、収容室１４とワッシャ５１３との間は貯水タンク３４１として形成されている。ワッシャ５１３における加熱リング５１１は蒸発チューブ５２により被覆されている。ポンプ４０は水抽出チューブ３６２により水を吸引し注水チューブ３５１から加熱リング５１１へ噴出される。従来の電気ポットの加熱装置が蒸発チューブ５２により被覆されているように、該貯水タンク３４１内の水は加熱されることなく、それと同時に蒸発装置５０とポット本体１０との間の熱伝導が隔離されているため、ポット本体１０が発熱し灼熱することは回避されることとなる。
【００１５】
上記のように、これらの実施の形態は本考案の技術及びその効果が例示的に説明されるにすぎず、本考案を限定するものではない。この技術に熟知した当業者が本考案の技術原理及び精神に基づいてなされる変更や修飾は、本考案の技術範囲に入るものである。
【００１６】
以上のように、本考案では、ポット本体と該ポット本体と結合可能な噴出ヘッドとを含み、該ポット本体が左、右ポット本体からなり、該ポット本体の後側にハンドルが設けられ、該ポット本体の内部に収容室が形成されかつ貯水タンクが設けれ、該ポット本体の上端がポット口として形成され、該噴出ヘッドに蒸気を噴出するためのノズルが設けられ、該収容室内に蒸気部材が設けられ、該蒸気部材が蒸発装置を含むハンディ型スチーマーであって、該蒸発装置は該貯水タンク内に沈設され、該蒸発装置はヒータと蒸発チューブとを含み、該蒸発チューブは該ヒータの加熱リングを被覆することで、該加熱リングと該貯水タンクの水との間接加熱による蒸気が発生することを特徴とするハンディ型スチーマーとするものである。
【００１７】
また、該蒸気部材は、水タンクとポンプとをさらに含み、該水タンク上部の該ポット口に対向する箇所には水注入口と蒸気通路とが設けられ、該ヒータにはワッシャが設けられ、該貯水タンクは該水タンクが該ワッシャに結合形成され該水注入口から注水され、該貯水タンクの上部には該ポンプのアウトレットとインレットとがそれぞれ挿設される水注入口と水抽出口とが設けられ、該加熱リングは該ワッシャの中央に環設され、該蒸発チューブは該ワッシャに設けられ、該蒸発チューブの下端は該加熱リングを被覆し蒸発室を形成し、該蒸発室上端に蒸気噴出通路と貫通孔が設けられ、該蒸気噴出通路は該蒸気通路と連通し、該貫通孔には該注入口が挿入されることで、該貫通孔がアウトレットと連通し、該水抽出口は該ポンプが該インレットにより水を吸引する該水抽出チューブに接続され、該貫通孔は該ポンプが該アウトレットの水を押圧し該加熱リングに向けて噴出しかつ該蒸発室において蒸気が発生するように該注水チューブに接続され、蒸気は該蒸気噴出通路と蒸気通路に向けて該噴出ヘッドのノズルへ噴出するものとする。
【００１８】
また、該注入口には閉塞プラグが設けられ、該蒸気通路は環状となりかつ外部にほぞが設けられ、該ほぞは該噴出ヘッド内部に設けられた通気路の凹溝と係合されることで、該噴出ヘッドは該ポット本体と接続されるものとする。
【００１９】
また、該蒸気通路には閉塞可能なキャップが設けられ、該キャップには蒸気の通過のための貫通孔が設けられているものとする。
【００２０】
また、該ポット箇所には注入口と蒸気通路とが設けられ、該ヒータにはワッシャが設けられ、該加熱リングは該ワッシャの中央に環設され、該貯水タンクは、該収容室と該ワッシャとで形成され該注入口から注水され、該収容室内にポンプが設けられ、該ポンプにはアウトレットとインレットとが設けられ、該蒸発チューブは該ワッシャに設けられることで、該蒸発チューブの下端と被覆された加熱リングとで蒸発室が形成され、該蒸発室の上端に蒸気通路と貫通孔とが設けられ、該アウトレットは該貫通孔と連通し、該貫通孔は該注水チューブに接続され、該ポンプはインレットに接続された水抽出チューブにより該貯水タンクから水を吸引しかつ該注水チューブから該加熱リングへ噴出し、発生された蒸気は該蒸気噴出通路と蒸気通路とを介して該噴出ヘッドへ噴出し該ノズルから噴出するものとする。
【００２１】
また、該注入口には閉塞プラグが設けられ、該蒸気通路は環状となりかつ外部にほぞが設けられ、該ほぞは該噴出ヘッド内部に設けられた通気路の凹溝と係合されることで、該噴出ヘッドは該ポット本体と接続されるものとする。
【００２２】
また、該蒸気通路には閉塞可能なキャップが設けられ、該キャップには蒸気の通過のための貫通孔が設けられているものとする。
【産業上の利用可能性】
【００２３】
本考案に係るハンディ型スチーマーによれば、下記の効果を奏することができる。
１、 本考案に係るハンディ型スチーマーは、水を加熱して蒸気を発生する方法が間接加熱であり、その貯水の温度増加がないため、ポット本体が発熱することはない。
２、 本考案に係るハンディ型スチーマーは、ポット本体内部の貯水タンク内に沈設されているため、蒸発装置の温度が水から隔離され、ポット本体に熱が伝導することはない。
【符号の説明】
【００２４】
１０  ポット本体
１１  左ポット本体
１２  右ポット本体
１１１  左窓
１２１  右窓
１３  ハンドル
１３１  スイッチ
１４  収容室
１５  ポット口
１５１  水注入口
１５２  蒸気通路
２０  噴出ヘッド
２１  ノズル
２２  通気路
２２１  凹溝
３０  水タンク
３１  検視窓
３２  水注入口
３２１  閉塞プラグ
３３  蒸気通路
３３１  ほぞ
３３２  キャップ
３３３  貫通孔
３４  貯水タンク
３４１  貯水タンク
３５  注水口
３６  水抽出口
３５１  注水チューブ
３６１  水抽出チューブ
３６２  水抽出チューブ
４０  ポンプ
４１  アウトレット
４２  インレット
５０  蒸発装置
５１  ヒータ
５１１  加熱リング
５１２  ワッシャ
５１３  ワッシャ
５２  蒸発チューブ
５２１  蒸発室
５２２  蒸気噴出通路
５２３  貫通孔
【図１】
0003215613.tif 000003
【図２】
0003215613.tif 000004
【図３】
0003215613.tif 000005
【図４】
0003215613.tif 000006
【図５】
0003215613.tif 000007
【手続補正書】
【提出日】平成30年1月23日(2018.1.23)
【手続補正１】
【補正対象書類名】実用新案登録請求の範囲
【補正対象項目名】全文
【補正方法】変更
【補正の内容】
【実用新案登録請求の範囲】
【請求項１】
ポット本体と該ポット本体と結合可能な噴出ヘッドとを含み、該ポット本体が左、右ポット本体からなり、該ポット本体の後側にハンドルが設けられ、該ポット本体の内部に収容室が形成されかつ貯水タンクが設けれ、該ポット本体の上端がポット口として形成され、該噴出ヘッドに蒸気を噴出するためのノズルが設けられ、該収容室内に蒸気部材が設けられ、該蒸気部材が蒸発装置を含むハンディ型スチーマーであって、
該蒸発装置は該貯水タンク内に沈設され、該蒸発装置はヒータと蒸発チューブとを含み、該蒸発チューブは該ヒータの加熱リングを被覆することで、該加熱リングと該貯水タンクの水との間接加熱による蒸気が発生することを特徴とするハンディ型スチーマー。
【請求項２】
該蒸気部材は、水タンクとポンプとをさらに含み、該水タンク上部の該ポット口に対向する箇所には水注入口と蒸気通路とが設けられ、該ヒータにはワッシャが設けられ、該貯水タンクは該水タンクが該ワッシャに結合形成され該水注入口から注水され、該貯水タンクの上部には該ポンプのアウトレットとインレットとがそれぞれ挿設される注水口と水抽出口とが設けられ、該加熱リングは該ワッシャの中央に環設され、該蒸発チューブは該ワッシャに設けられ、該蒸発チューブの下端は該加熱リングを被覆し蒸発室を形成し、該蒸発室上端に蒸気噴出通路と貫通孔が設けられ、該蒸気噴出通路は該蒸気通路と連通し、該貫通孔には該注水口が挿入されることで、該貫通孔がアウトレットと連通し、該水抽出口は該ポンプが該インレットにより水を吸引する水抽出チューブに接続され、該貫通孔は該ポンプが該アウトレットの水を押圧し該加熱リングに向けて噴出しかつ該蒸発室において蒸気が発生するように注水チューブに接続され、蒸気は該蒸気噴出通路と蒸気通路に向けて該噴出ヘッドのノズルへ噴出することを特徴とする請求項１に記載のハンディ型スチーマー。
【請求項３】
該注入口には閉塞プラグが設けられ、該蒸気通路は環状となりかつ外部にほぞが設けられ、該ほぞは該噴出ヘッド内部に設けられた通気路の凹溝と係合されることで、該噴出ヘッドは該ポット本体と接続されることを特徴とする請求項２に記載のハンディ型スチーマー。
【請求項４】
該蒸気通路には閉塞可能なキャップが設けられ、該キャップには蒸気の通過のための貫通孔が設けられていることを特徴とする請求項２または３に記載のハンディ型スチーマー。
【請求項５】
該ポット口の箇所には注入口と蒸気通路とが設けられ、該ヒータにはワッシャが設けられ、該加熱リングは該ワッシャの中央に環設され、該貯水タンクは、該収容室と該ワッシャとで形成され該注入口から注水され、該収容室内にポンプが設けられ、該ポンプにはアウトレットとインレットとが設けられ、該蒸発チューブは該ワッシャに設けられることで、該蒸発チューブの下端と被覆された加熱リングとで蒸発室が形成され、該蒸発室の上端に蒸気噴出通路と貫通孔とが設けられ、該アウトレットは該貫通孔と連通し、該貫通孔は注水チューブに接続され、該ポンプはインレットに接続された水抽出チューブにより該貯水タンクから水を吸引しかつ該注水チューブから該加熱リングへ噴出し、発生された蒸気は該蒸気噴出通路と蒸気通路とを介して該噴出ヘッドへ噴出し該ノズルから噴出することを特徴とする請求項１に記載のハンディ型スチーマー。
【請求項６】
該注入口には閉塞プラグが設けられ、該蒸気通路は環状となりかつ外部にほぞが設けられ、該ほぞは該噴出ヘッド内部に設けられた通気路の凹溝と係合されることで、該噴出ヘッドは該ポット本体と接続されることを特徴とする請求項５に記載のハンディ型スチーマー。
【請求項７】
該蒸気通路には閉塞可能なキャップが設けられ、該キャップには蒸気の通過のための貫通孔が設けられていることを特徴とする請求項５または６に記載のハンディ型スチーマー。